(57)【要約】【課題】優れた見栄えを呈しつつ、悪臭の発生や床材の腐食を防止することができる便器施工構造を優れた作業性と安価な施工コストとで実現する。【解決手段】第１工程において、洋風便器本体３を床面９０上に載置する。そして、第２工程において、床面９０に当接する洋風便器本体３の周縁部１０ａと床面９０との間を封止する。この際、大気雰囲気下で硬化する未硬化樹脂からなる軟質な紐状のシール材１を周縁部１０ａの外面下部１０ｂと床面９０との間に密着しながら介在し、シール材１を大気雰囲気下で硬化させる。【選択図】図３
2006249758.tif 000002
【特許請求の範囲】
【請求項１】
便器を床面上に載置する第１工程と、該床面に当接する該便器の周縁部と該床面との間を封止する第２工程とを備える便器の施工方法において、
前記第２工程では、大気雰囲気下で硬化する未硬化樹脂からなる軟質な紐状のシール材を前記周縁部の外面下部と前記床面との間に密着しながら介在し、該シール材を大気雰囲気下で硬化させることを特徴とする便器の施工方法。
【請求項２】
前記シール材はシリコーンゴム系のものであることを特徴とする請求項１記載の便器の施工方法。
【請求項３】
前記便器は洋風水洗式便器であることを特徴とする請求項１又は２記載の便器の施工方法。
【請求項４】
床面と、該床面上に載置された便器と、該床面に当接する該便器の周縁部と該床面との間を封止するシール材とからなり、該シール材は、大気雰囲気下で硬化する未硬化樹脂からなる軟質な紐状のものが該周縁部の外面下部と該床面との間に密着しながら介在され、大気雰囲気下で硬化されていることを特徴とする便器施工構造。
【請求項５】
前記シール材は前記周縁部の外面の下方への延長線をはみ出していないことを特徴とする請求項４記載の便器施工構造。
【発明の詳細な説明】
【技術分野】
【０００１】
本発明は便器の施工方法及び便器施工構造に関する。
【背景技術】
【０００２】
従来、特許文献１の図２及び特許文献２の図１〜図３開示の便器の施工方法が知られている。これらの施工方法は、便器を床面上に載置する第１工程と、床面に当接する便器の周縁部と床面との間を封止する第２工程とを備えている。
【０００３】
特許文献１の図２では、第２工程として、便器の周縁部と床面との間を変性シリコーンでコーキングする方法が開示されている。
【０００４】
また、特許文献２の図１〜３では、第２工程として、便器の周縁部の下端に全周に亘る防水用のパッキンを設ける方法が開示されている。
【０００５】
これらの施工方法により便器が施工された便器施工構造は、床面と、この床面上に載置された便器と、床面に当接する便器の周縁部と床面との間を封止する変性シリコーン又はパッキンからなるシール材とからなる。
【０００６】
この便器施工構造によれば、便器の外面に付着した尿や結露水が下方に垂れても、床面と便器との隙間に入り込み難い。また、床面に飛散した尿が床面と便器との隙間に入り込み難い。そのため、これらの施工方法によれば、悪臭の発生や床材の腐食を防止することができるため、尿汚れや結露水に対して腐食し難い床材を必ずしも採用しなくても、トイレ室を快適に維持することができる。
【０００７】
【特許文献１】特開平１−３２２０３６号公報
【特許文献２】実開平５−４９８８７号公報
【発明の開示】
【発明が解決しようとする課題】
【０００８】
しかし、上記特許文献１記載の施工方法では、不定形の変性シリコーンを使用するため、施工後の便器施工構造を美しいものにするためには、床面や便器をマスキングしなければならない。仮にマスキングをしないで第２工程を行うと、床面や便器にシリコーンが垂れ易く、コーキング部分が目立ち、便器施工構造の見栄えが悪化してしまう。このため、面倒な作業によってこの方法は躊躇されやすく、腐食に強い床材を選択することによって問題の根本解決から回避することも多かった。
【０００９】
また、上記特許文献２記載の施工方法では、様々な形状の便器に合わせたパッキンを予め用意しておかなければならず、施工コストが嵩んでしまう。
【００１０】
本発明は、上記従来の実情に鑑みてなされたものであり、優れた見栄えを呈しつつ、悪臭の発生や床材の腐食を防止することができる便器施工構造を優れた作業性と安価な施工コストとで実現することを解決すべき課題としている。
【課題を解決するための手段】
【００１１】
本発明の便器の施工方法は、便器を床面上に載置する第１工程と、該床面に当接する該便器の周縁部と該床面との間を封止する第２工程とを備える便器の施工方法において、前記第２工程では、大気雰囲気下で硬化する未硬化樹脂からなる軟質な紐状のシール材を前記周縁部の外面下部と前記床面との間に密着しながら介在し、該シール材を大気雰囲気下で硬化させることを特徴とする。
【００１２】
本発明の便器の施工方法では、第１工程において、便器を床面上に載置する。そして、第２工程において、床面に当接する便器の周縁部と床面との間を封止する。この際、大気雰囲気下で硬化する未硬化樹脂からなる軟質な紐状のシール材を周縁部の外面下部と床面との間に密着しながら介在し、シール材を大気雰囲気下で硬化させる。
【００１３】
この施工方法では、シール材により便器の周縁部と床面との間を封止することができるため、便器の外面に付着した尿や結露水が下方に垂れても、床面と便器との隙間に入り込み難い。また、床面に飛散した尿が床面と便器との隙間に入り込み難い。そのため、この施工方法によれば、悪臭の発生や床材の腐食を防止することができるため、尿汚れや結露水に対して腐食し難い床材を必ずしも採用しなくても、トイレ室を快適に維持することができる。
【００１４】
また、シール材は紐状をなす軟質の定形品であるため、このシール材を便器の周縁部の外面下部と床面との間に押圧することにより、簡単に両者に密着させることができる。この際、シール材が紐状をなすことから、周縁部の外面下部と床面との間を連続的に封止することができる。そのため、床面や便器をマスキングする必要がなく、床面や便器に垂れることがない。また、様々な形状の便器に合わせたパッキンを予め用意しておく必要もない。
【００１５】
また、通常の便器は周縁部の外面下部の断面がアール形状をなしており、このアール形状の部分と床面との間に紐状のシール材が入り込むため、優れた意匠の便器施工構造が得られる。
【００１６】
したがって、本発明の施工方法によれば、優れた見栄えを呈しつつ、悪臭の発生や床材の腐食を防止することができる便器施工構造を優れた作業性と安価な施工コストとで実現することができる。
【００１７】
本発明において、周縁部の外面下部とは、床面に実際に当接する周縁部の最下端と周縁部の下方への延長線との間をいう。
【００１８】
大気雰囲気下で硬化する未硬化樹脂からなる軟質な紐状のシール材としては、特開２００４−１７５９５９号公報記載のものを採用することができる。
【００１９】
なお、特開２０００４−８２４６号公報には、システムキッチン、洗面化粧台、照明装置等に用いられるシーリング材の取付構造が開示されているが、便器の施工方法及び便器施工構造については具体的記載がなされていない。
【００２０】
本発明に係るシール材はシリコーンゴム系のものであることが好ましい。シリコーンゴム系のシール材は、薬品に対して強いため、尿等に対しても劣化し難く、長期に亘って優れた見栄えを呈することができる。
【００２１】
本発明に係る便器は洋風水洗式便器であることが好ましい。洋風水洗式便器を床面に施工する場合、本発明の効果を最も発揮できるからである。
【００２２】
本発明の便器施工構造は、床面と、該床面上に載置された便器と、該床面に当接する該便器の周縁部と該床面との間を封止するシール材とからなり、該シール材は、大気雰囲気下で硬化する未硬化樹脂からなる軟質な紐状のものが該周縁部の外面下部と該床面との間に密着しながら介在され、大気雰囲気下で硬化されていることを特徴とする。
【００２３】
この便器施工構造であれば、優れた作業性と安価な施工コストとの下、優れた見栄えを呈しつつ、悪臭の発生や床材の腐食を防止することができる。
【００２４】
この便器施工構造は、シール材が周縁部の外面の下方への延長線をはみ出していないことが好ましい。この場合、床面に実際に当接する周縁部の最下端と周縁部の下方への延長線との間だけにシール材が存在することとなり、便器施工構造が優れた意匠を呈することができる。
【発明を実施するための最良の形態】
【００２５】
以下、本発明を具体化した実施例を図面を参照しつつ説明する。図１に示すように、実施例のシール材１は、木材製、フローリングシート、リノリューム製、タイル製、コンクリート製等のあらゆる床面９０上に施工される洋風水洗式便器２に使用される。洋風水洗式便器２は、陶磁器製の洋風便器本体３と、この洋風便器本体３に固定された洗浄装置４とを備えている。
【００２６】
まず、洋風水洗式便器２の構造を図２により説明する。洋風水洗式便器２の洋風便器本体３には、床面９０と当接する周縁部１０ａを有し、洋風水洗式便器２全体を支える台脚１０と、鉢面１１ａを有するボウル部１１と、このボウル部１１の底部に連なるトラップ部１２とが設けられている。なお、洗浄装置４は、図示のように水道管直結のものでもよく、ロータンク式のものでもよい。
【００２７】
シール材１としては、信越ポリマー（株）製の「ポリマエース（登録商標）」の常温保存タイプ、湿度硬化タイプを使用した。このシール材１はφ３ｍｍの紐状のシリコーンゴム系定形品である。このシール材１は、常温保存タイプ、少量個別包装品であり、２液を混合する必要もないものであるため、取り扱いが容易である。
【００２８】
まず、第１工程において、図３（Ａ）に示すように、台脚１０の周縁部１０ａを床面９０上に置くことにより、洋風便器本体３を床面９０上に載置する。
【００２９】
そして、第２工程において、図３（Ｂ）に示すように、台脚１０の周縁部１０ａの外面下部１０ｂと床面９０との間にシール材１を配置する。この後、図３（Ｃ）に示すように、シール材１を指やコテによって押圧し、周縁部１０ａの外面下部１０ｂと床面９０とに密着させる。台脚１０の周縁部１０ａ全体について、この作業を連続的に行い、周縁部１０ａと床面９０との間を封止する。しばらく放置すれば、このシール材１は、大気雰囲気下において、短時間で硬化する。これにより、洋風便器本体３の施工が終了し、この洋風便器本体３に洗浄装置４等を載置する。こうして、便器施工構造が完成する。
【００３０】
この便器施工構造は、床面９０と、この床面９０上に載置された洋風便器本体３と、床面９０に当接する洋風便器本体３の周縁部１０ａと床面９０との間を封止するシール材１とからなる。
【００３１】
実施例の施工方法では、シール材１により洋風便器本体３の周縁部１０ａと床面９０との間を封止することができるため、洋風便器本体３の外面に付着した尿や結露水が下方に垂れても、床面９０と洋風便器本体３との隙間に入り込み難い。また、床面９０に飛散した尿が床面９０と洋風便器本体３との隙間に入り込み難い。特に、このシール材１はシリコーンゴム系であるため、尿等に対して劣化し難く、長期に亘って優れた見栄えを呈することができる。そのため、この施工方法によれば、悪臭の発生や床材の腐食を防止することができるため、尿汚れや結露水に対して腐食し難い床材を必ずしも採用しなくても、トイレ室を快適に維持することができる。
【００３２】
また、シール材１は紐状をなす軟質の定形品であるため、このシール材１を洋風便器本体３の周縁部１０ａの外面下部１０ｂと床面９０との間に押圧することにより、簡単に両者を密着させることができる。この際、シール材１が紐状をなすことから、周縁部１０ａの外面下部１０ｂと床面９０との間を連続的に封止することができる。そのため、床面９０や洋風便器本体３をマスキングする必要がなく、床面９０や洋風便器本体３に垂れることがない。また、様々な形状の洋風便器本体３に合わせたパッキンを予め成形しておく必要もない。
【００３３】
また、この洋風便器本体３は周縁部１０ａの外面下部１０ｂの断面がアール形状をなしており、このアール形状の部分と床面９０との間に紐状のシール材１が入り込む。これによりシール材１が周縁部１０ａの外面の下方への延長線Ｅをはみ出しておらず、延長線Ｅより内側のアール形状の部分と床面９０との隙間に納まっているため、優れた意匠の便器施工構造が得られる。
【００３４】
したがって、実施例の施工方法によれば、優れた見栄えを呈しつつ、悪臭の発生や床材の腐食を防止することができる便器施工構造を優れた作業性と安価な施工コストとで実現することができる。
【００３５】
また、この便器施工構造であれば、優れた作業性と安価な施工コストとの下、優れた見栄えを呈しつつ、悪臭の発生や床材の腐食を防止することができる。
【００３６】
さらに、この便器施工構造において、長期の使用によりシール材１が汚れたり、劣化したりすれば、洋風便器本体３を取り外さなくても、シール材１を容易に外し、新たなシール材によって便器施工構造を施工することもできる。
【００３７】
以上において、本発明を実施例に即して説明したが、本発明は上記実施例に制限されるものではなく、その趣旨を逸脱しない範囲で適宜変更して適用できることはいうまでもない。
【産業上の利用可能性】
【００３８】
本発明は、洋風水洗式便器、水洗式小便器、和風水洗式便器、汲み取り式便器等の施工方法及び便器施工構造に利用可能である。
【図面の簡単な説明】
【００３９】
【図１】実施例に係り、便器施工構造を示す斜視図である。
【図２】実施例に係り、洋風便器本体の断面図である。
【図３】実施例に係り、施工手順を示す拡大断面図である。
【符号の説明】
【００４０】
１…シール材
２…便器（洋風水洗式便器）
３…洋風便器本体
１０ａ…周縁部
１０ｂ…外面下部
９０…床面
Ｅ…延長線
【図１】
2006249758.tif 000003
【図２】
2006249758.tif 000004
【図３】
2006249758.tif 000005